(57)【要約】【課題】コイル線が巻回されたコイルボビンにケース部材を被せる際に、コイル線の引き回し部分がケース部材に接触して切断することを防止することのできるモータを提供すること。【解決手段】モータ１において、コイルボビン２の第１鍔部２１の側では、端子台２５の胴部２３側の面２５１に沿うようにコイル線２０の引き回し部分２０２、２０３が延在し、引き回し部分２０２、２０３のうち、第２鍔部２２とモータ軸線方向Ｌで重なる領域より外側領域に位置する部分は、筒部４６とモータ軸線方向Ｌで対向している。端子台２５の胴部２３側の面２５１のうち、第２鍔部２２とモータ軸線方向Ｌで重なる領域より外側領域は、コイル線引き回し領域２５０を含む径方向外側領域の全体が第１鍔部２１の内面２１０よりモータ軸線方向Ｌで胴部２３とは反対側に位置する低所領域２５４になっている。【選択図】図２
2014090531.tif 000002
【特許請求の範囲】
【請求項１】
胴部、該胴部のモータ軸線方向の一方側端部で拡径する第１鍔部、前記胴部のモータ軸線方向の他方側端部で拡径する第２鍔部、および前記第１鍔部の径方向外側で端子を保持する端子台を備えたコイルボビンと、
前記胴部に巻回されたコイル部分、および前記端子台の前記胴部側の面に沿って前記端子と前記胴部との間で引き回された引き回し部分を備えたコイル線と、
前記胴部の径方向外側を覆う筒部を備えたケース部材と、
を有するモータにおいて、
前記端子台の前記胴部側の面のうち、前記第２鍔部とモータ軸線方向で重なる領域より外側領域では、前記コイル線の引き回し部分とモータ軸線方向において重なるコイル線引き回し領域の全体が、前記第１鍔部の前記第２鍔部側に向く内面よりモータ軸線方向において前記胴部とは反対側に位置していることを特徴とするモータ。
【請求項２】
前記引き回し部分のうち、前記コイル線の一方側端部の引き回し部分と前記コイル線の他方側端部の引き回し部分とは交差しており、
前記引き回し部分の交差部分は、前記第２鍔部とモータ軸線方向で重なる領域内に位置することを特徴とする請求項１に記載のモータ。
【請求項３】
前記コイルボビンには、前記第１鍔部の径方向外側で前記筒部とモータ軸線方向で重なる位置に、前記コイル線引き回し領域よりモータ軸線方向において前記胴部側に位置する受け部が形成されていることを特徴とする請求項１または２に記載のモータ。
【請求項４】
前記受け部は、前記第１鍔部の前記内面と連続した平面を構成していることを特徴とする請求項３に記載のモータ。
【請求項５】
前記受け部は、前記端子台を周方向で挟む両側に形成されていることを特徴とする請求項３または４に記載のモータ。
【請求項６】
前記端子台の前記胴部側の面のうち、前記第２鍔部とモータ軸線方向で重なる領域より外側領域は、前記コイル線引き回し領域を含む径方向外側領域の全体が前記第１鍔部の前記内面よりモータ軸線方向において前記胴部とは反対側に位置する低所領域になっていることを特徴とする請求項１乃至５の何れか一項に記載のモータ。
【請求項７】
前記コイル線引き回し領域は、モータ軸線方向において前記胴部とは反対側に凹んだ溝状凹部になっていることを特徴とする請求項１乃至５の何れか一項に記載のモータ。
【請求項８】
前記端子の前記胴部側の面は、モータ軸線方向において、前記コイル線引き回し領域と同一位置、あるいは前記コイル線引き回し領域より前記胴部とは反対側に位置することを特徴とする請求項１乃至７の何れか一項に記載のモータ。
【発明の詳細な説明】
【技術分野】
【０００１】
本発明は、コイルボビンの径方向外側がケース部材で覆われたモータに関するものである。
【背景技術】
【０００２】
ステッピングモータ等のモータにおいて、ステータは、コイル線が巻回されたコイルボビンの径方向外側をケース部材で覆った構造を有している。コイルボビンは、円筒状の胴部の両側に鍔部を有しており、胴部にコイル線が巻回される。また、コイル線の端部は、鍔部の径方向外側に形成された端子台に沿って端子台の端子と胴部との間で引き回される。かかるコイルボビンの端子台に関しては、コイル線の断線を防止するために各種構造が提案されている。
【０００３】
例えば、コイル線を引き回した際、コイル線同士の交差部分で断線が発生しないように、端子台に形成した溝内で一方のコイル線を引き回した構成が提案されている（特許文献１参照）。また、端子台において端子の近傍を鍔部の内面より低くすることにより、端子の根元でのコイル線の浮きを防止し、端子に基板を接続する際にコイル線が断線しないようにした構造が提案されている（特許文献２参照）。さらに、端子台において一段低くした領域でコイル線を引き回すとともに、コイル線の引き回し部分に防振ゴムを重ねた構成が提案されている（特許文献３参照）。
【先行技術文献】
【特許文献】
【０００４】
【特許文献１】特開２００２−１１２４８９号公報
【特許文献２】特開２０１１−７２０８９号公報
【特許文献３】実開昭５８−１３９８５６号公報
【発明の概要】
【発明が解決しようとする課題】
【０００５】
しかしながら、特許文献１〜３のいずれの構成においても、コイルボビンにケース部材を被せる際のコイル線の断線については考慮されていない。このため、コイルボビンにケース部材を被せる際、端子とコイルボビンの胴部との間で引き回されたコイル線の引き回し部分がケース部材の端部で押圧されてしまい、コイル線が断線するという問題点がある。かかる問題は、ケース部材の端部のうち、端子台と重なる位置に切り欠きを形成した場合でも発生する。すなわち、コイルボビンにケース部材を被せる際、ケース部材を周方向に回転させて位置を調整すると、ケース部材において切り欠きが形成されていない部分が、コイル線の引き回し部分に接触し、コイル線が切断する。
【０００６】
以上の問題点に鑑みて、本発明の課題は、コイル線が巻回されたコイルボビンにケース部材を被せる際に、コイル線の引き回し部分がケース部材に接触して切断することを防止することのできるモータを提供することにある。
【課題を解決するための手段】
【０００７】
上記課題を解決するために、本発明では、胴部、該胴部のモータ軸線方向の一方側端部で拡径する第１鍔部、前記胴部のモータ軸線方向の他方側端部で拡径する第２鍔部、および前記第１鍔部の径方向外側で端子を保持する端子台を備えたコイルボビンと、前記胴部に巻回されたコイル部分、および前記端子台の前記胴部側の面に沿って前記端子と前記胴部との間で引き回された引き回し部分を備えたコイル線と、前記胴部の径方向外側を覆う筒部を備えたケース部材と、を有するモータにおいて、前記端子台の前記胴部側の面のうち、前記第２鍔部とモータ軸線方向で重なる領域より外側領域では、前記コイル線の引き回し部分とモータ軸線方向において重なるコイル線引き回し領域の全体が、前記第１鍔部の前記第２鍔部側に向く内面よりモータ軸線方向において前記胴部とは反対側に位置していることを特徴とする。
【０００８】
本発明において、「端子台の胴部側の面に沿って端子と胴部との間で引き回された引き回し部分」とは、引き回し部分が端子台の胴部側の面にモータ軸線方向で重なるように引き回されていることを意味し、引き回し部分が端子台の胴部側の面に接している形態、および引き回し部分の全体あるいは一部が端子台の胴部側の面から浮いている形態の双方を含む意味である。
【０００９】
本発明では、コイルボビンの胴部にコイル線を巻回する際、コイル線の端部は、第１鍔部の側で端子台の胴部側の面に沿って胴部と端子との間で引き回される。そして、コイル線を巻回したコイルボビンにケース部材を被せる際は、コイルボビンの第２鍔部の側からケース部材を被せる。ここで、端子台の胴部側の面のうち、第２鍔部とモータ軸線方向で重なる領域より外側領域では、コイル線の引き回し部分とモータ軸線方向において重なるコイル線引き回し領域の全体が、第１鍔部の第２鍔部側に向く内面よりモータ軸線方向において胴部とは反対側に位置しているため、コイルボビンにケース部材を被せた際、コイル線の引き回し部分とケース部材とは一切、接触しないか、あるいは接触するとしても強く接触することがない。それ故、コイルボビンにケース部材を被せる際にコイル線が切断するという事態を回避することができる。
【００１０】
本発明において、前記引き回し部分のうち、前記コイル線の一方側端部の引き回し部分と前記コイル線の他方側端部の引き回し部分とは交差しており、前記引き回し部分の交差部分は、前記第２鍔部とモータ軸線方向で重なる領域内に位置することが好ましい。第２鍔部とモータ軸線方向で重なる領域内であればケース部材と接触することがないので、交差部分でのコイル線の切断を確実に防止することができる。
【００１１】
本発明において、前記コイルボビンには、前記第１鍔部の径方向外側で前記筒部とモータ軸線方向で重なる位置に、前記コイル線引き回し領域よりモータ軸線方向において前記胴部側に位置する受け部が形成されていることが好ましい。かかる構成によれば、コイルボビンにケース部材を被せる際、ケース部材が接触するのは受け部であるので、ケース部材とコイル線の引き回し部分との接触を防止することができる。
【００１２】
本発明において、前記受け部は、前記第１鍔部の前記内面と連続した平面を構成していることが好ましい。
【００１３】
本発明において、前記受け部は、前記端子台を周方向で挟む両側に形成されていることが好ましい。かかる構成によれば、ケース部材とコイル線の引き回し部分との接触を確実に防止することができる。
【００１４】
本発明において、前記端子台の前記胴部側の面のうち、前記第２鍔部とモータ軸線方向で重なる領域より外側領域は、前記コイル線引き回し領域を含む径方向外側領域の全体が前記第１鍔部の前記内面よりモータ軸線方向において前記胴部とは反対側に位置する低所領域になっていることが好ましい。
【００１５】
本発明において、前記コイル線引き回し領域は、モータ軸線方向において前記胴部とは反対側に凹んだ溝状凹部になっている構成を採用してもよい。
【００１６】
本発明において、前記端子の前記胴部側の面は、モータ軸線方向において、前記コイル線引き回し領域と同一位置、あるいは前記コイル線引き回し領域より前記胴部とは反対側に位置することが好ましい。
【発明の効果】
【００１７】
本発明では、コイルボビンの胴部にコイル線を巻回する際、コイル線の端部は、第１鍔部の側で端子台の胴部側の面に沿って胴部と端子との間で引き回される。そして、コイル線を巻回したコイルボビンにケース部材を被せる際は、コイルボビンの第２鍔部の側からケース部材を被せる。ここで、端子台の胴部側の面のうち、第２鍔部とモータ軸線方向で重なる領域より外側領域では、コイル線の引き回し部分とモータ軸線方向において重なるコイル線引き回し領域の全体が、第１鍔部の第２鍔部側に向く内面よりモータ軸線方向において胴部とは反対側に位置しているため、コイルボビンにケース部材を被せた際、コイル線の引き回し部分とケース部材とは一切、接触しないか、あるいは接触するとしても強く接触することがない。それ故、コイルボビンにケース部材を被せる際にコイル線が切断するという事態を回避することができる。
【図面の簡単な説明】
【００１８】
【図１】本発明を適用したモータの説明図である。
【図２】本発明の実施の形態１に係るモータのステータの説明図である。
【図３】本発明の実施の形態１に係るモータの外ステータコアの説明図である。
【図４】本発明の実施の形態１に係るモータのコイルボビンの説明図である。
【図５】本発明の実施の形態１に係るモータのコイルボビンにコイル線を巻回した状態の説明図である。
【図６】本発明の実施の形態２に係るモータのコイルボビンを第２鍔部の側からみた平面図である。
【図７】本発明の実施の形態３に係るモータのコイルボビンの断面図である。
【発明を実施するための形態】
【００１９】
図面を参照して、本発明を適用したモータの一例を説明する。なお、以下の説明において、モータ軸線方向Ｌのうち、回転軸５０がステータ４０から突出している側を出力側Ｌ１とし、回転軸５０がステータ４０から突出している側とは反対側を反出力側Ｌ２として説明する。
【００２０】
［実施の形態１］
（全体構成）
図１は、本発明の実施の形態１に係るモータの半断面図である。図１に示すモータ１は、ＤＶＤやブルーレイディスク等の光ディスク駆動装置において光ヘッドの駆動等に用いられるステッピングモータであり、円筒状のステータ４０を有している。ステータ４０では、Ａ相用のステータ組とＢ相用のステータ組とがモータ軸線方向Ｌに重ねて配置された構造を有している。このため、ステータ４０では、コイル線２０が巻回された環状の２つのコイルボビン２（第１のコイルボビン２Ａと第２のコイルボビン２Ｂ）がモータ軸線方向Ｌに重ねて配置されており、かかるコイルボビン２には各々、内ステータコア３および外ステータコア４が重ねて配置されている。より具体的には、第１のコイルボビン２Ａにおいてモータ軸線方向Ｌの両側には、環状の内ステータコア３Ａ、および断面Ｕ字形状の外ステータコア４Ａが重ねて配置され、第２のコイルボビン２Ｂにおいてモータ軸線方向Ｌの両側には、環状の内ステータコア３Ｂ、および断面Ｕ字形状の外ステータコア４Ｂが重ねて配置されている。第１のコイルボビン２Ａおよび第２のコイルボビン２Ｂの内周面では、内ステータコア３Ａ、３Ｂおよび外ステータコア４Ａ、４Ｂの複数の極歯３１、４１が周方向に並んだ構成となっている。このようにして、ロータ配置穴３０を備えた円筒状のステータ４０が構成されており、ステータ４０の径方向内側にはロータ５が同軸状に配置されている。本形態では、後述するように、外ステータコア４Ａ、４Ｂが各々、第１のコイルボビン２Ａおよび第２のコイルボビン２Ｂの径方向外側まで延在してモータケース１０を構成している。
【００２１】
コイルボビン２（第１のコイルボビン２Ａおよび第２のコイルボビン２Ｂ）は樹脂製であり、後述するように、コイルボビン２には端子９１（端子９１Ａ、９１Ｂ）を保持する端子台２５（２５Ａ、２５Ｂ）が一体に形成されている。端子９１（端子９１Ａ、９１Ｂ）は、モータケース１０より径方向外側に突出しており、フレキシブル配線基板等の配線材（図示せず）が接続される。
【００２２】
ロータ５では回転軸５０がモータ軸線方向Ｌに延在しており、回転軸５０の反出力側Ｌ２寄りの位置には円筒状の永久磁石５９が接着剤５６によって固着されている。永久磁石５９は、ロータ配置穴３０の内側において、外周面５９０が径方向の内側でステータ４０の極歯３１、４１と所定の間隔を介して対向している。回転軸５０は、ステンレス、真鍮、アルミニウム等の金属材料からなり、回転軸５０の外周面５７のうち、ステータ４０から突出する側（出力側Ｌ１）の外周面５７には、光ヘッド（図示せず）側に形成されたラックが係合する螺旋溝５８が形成されている。回転軸５０において、螺旋溝５８が形成されている部分は、永久磁石５９が固着されている部分より大径である。
【００２３】
（プレート６５の構成）
ステータ４０に対して出力側Ｌ１にはプレート６５が設けられている。プレート６５は、ステータ４０の出力側Ｌ１の端面４８（モータケース１０の出力側Ｌ１の端面）に溶接等の方法で固定された固定板部６５１と、固定板部６５１に出力側Ｌ１で対向して回転軸５０の出力側Ｌ１の端部５１を支持する支持板部６５２と、モータ軸線方向Ｌに延在して固定板部６５１と支持板部６５２とを連結する連結板部６５３とを備えている。固定板部６５１には、回転軸５０を貫通させる穴６５０が形成されている。
【００２４】
（軸受構造）
プレート６５において支持板部６５２には、回転軸５０の出力側Ｌ１の端部５１をモータ軸線方向Ｌおよび径方向で回転可能に支持する出力側Ｌ１の軸受機構６が構成されている。かかる軸受機構６では、プレート６５の支持板部６５２に出力側Ｌ１の軸受部材６０が固定されており、回転軸５０の出力側Ｌ１の端部５１は、軸受部材６０の反出力側Ｌ２の端面で出力側Ｌ１に向けて凹む凹部６１の内側に嵌って支持されている。軸受部材６０は、プレート６５の支持板部６５２に形成された穴６５６を貫通した状態で支持板部６５２の反出力側Ｌ２の面に当接する大径部６４を有しており、軸受部材６０は、大径部６４によって出力側Ｌ１への移動が規制されている。回転軸５０において、出力側Ｌ１の端部５１は、螺旋溝５８が形成されている部分より小径であり、かつ、半球状に加工されている。
【００２５】
回転軸５０の反出力側Ｌ２の端部５２には回転軸５０の反出力側Ｌ２の端部５２をモータ軸線方向Ｌおよび径方向で回転可能に支持する反出力側Ｌ２の軸受機構７が構成されている。本形態において、永久磁石５９の反出力側Ｌ２の端面には、出力側Ｌ１に向けて凹む凹部５９５が形成されており、軸受機構７は、永久磁石５９から反出力側Ｌ２に向けて突出する回転軸５０の反出力側Ｌ２の端部５２を凹部５９５の内側で回転可能に支持している。回転軸５０において、反出力側Ｌ２の端部５２は、永久磁石５９が固着されている部分よりわずかに小径であり、かつ、半球状に加工されている。
【００２６】
反出力側Ｌ２の軸受機構７では、回転軸５０の反出力側Ｌ２の端部５２の周りに円盤状の軸受部材７０が配置されており、回転軸５０の端部５２は、軸受部材７０の円筒部７１の内側に嵌って回転可能に支持されている。軸受部材７０に対して反出力側Ｌ２には、板バネ状の付勢部材８０が配置されており、軸受部材７０は、付勢部材８０とステータ４０との間に保持されているとともに、回転軸５０は、付勢部材８０によって出力側Ｌ１に向けて付勢されている。
【００２７】
より具体的には、付勢部材８０は、ステータ４０の反出力側Ｌ２の端面４９に溶接等により固定された端板部８１と、端板部８１の中央部分で切り起こされた板バネ部８５とを備えており、端板部８１は、ステータ４０との間に軸受部材７０の端部を保持し、板バネ部８５は、回転軸５０を出力側Ｌ１に向けて付勢している。ここで、回転軸５０の出力側Ｌ１には、回転軸５０の出力側Ｌ１の端部５１をモータ軸線方向Ｌおよび径方向で回転可能に支持する出力側Ｌ１の軸受機構６が構成されている。従って、回転軸５０は、出力側Ｌ１の端部５１が軸受機構６に当接するように付勢された状態にあるため、回転軸５０が回転した際、回転軸５０のモータ軸線方向Ｌでのがたつきが防止されている。
【００２８】
（ステータ４０の詳細構成）
以下、図１に加えて、図２〜図５を参照してモータケース１０（外ステータコア４）とコイルボビン２との位置関係等を説明する。なお、本形態のモータ１のステータ４０において、Ａ相用のステータ組とＢ相用のステータ組とは、同一の構成であり、モータ軸線方向Ｌで対称に構成されている。そこで、以下の説明では、Ａ相用およびＢ相用に区別せずに説明する。
【００２９】
図２は、本発明の実施の形態１に係るモータ１のステータ４０の説明図であり、図２（ａ）、（ｂ）はステータ４０の１相分を拡大して示す斜視図、および分解斜視図である。図３は、本発明の実施の形態１に係るモータ１の外ステータコア４の説明図であり、図３（ａ）、（ｂ）、（ｃ）は、外ステータコア４を極歯４１が突出している側からみた平面図、側面図、およびＰ−Ｏ−Ｐ′線に沿って切断したときの断面端面図である。なお、内ステータコア３は、モータケース１０を構成していないことから、図２では図示を省略してある。
【００３０】
図１、図２および図３において、本形態のモータ１において、外ステータコア４は、モータケース１０を構成するケース部材として構成されていることから、断面Ｕ字形状を有している。より具体的には、外ステータコア４は、円環部４５と、円環部４５の内周縁からモータ軸線方向Ｌに切り起こされた複数枚の極歯４１と、円環部４５の外周縁からモータ軸線方向Ｌに延在して極歯４１に径方向外側で対向する円筒状の筒部４６とを有している。かかる外ステータコア４は、コイル線２０が巻回されたコイルボビン２に重ねて配置され、その結果、極歯４１と筒部４６との間にコイルボビン２が配置された状態となる。ここで、円環部４５の内周縁には、周方向で隣り合う極歯４１で挟まれた部分が径方向外側に向けて切り欠かれた凹部４５１になっており、かかる凹部４５１は、図１を参照して説明した軸受部材７０の位置決めに利用されている。また、凹部４５１の一部には、さらに径方向外側に円弧状に切り欠かれた切り欠き４５２が形成されており、かかる切り欠き４６２は、外ステータコア４と軸受部材７０とを位置決めする際に位置決めピン（治具／図示せず）が挿入される。
【００３１】
筒部４６の先端縁には、相対向する位置にモータ軸線方向Ｌに切り欠かれた２つの切り欠き４６１、４６８が形成されており、外ステータコア４とコイルボビン２とを組み合わせる際、外ステータコア４とコイルボビン２とは、切り欠き４６１、４６８のうち、周方向の寸法が大の切り欠き４６１がコイルボビン２の端子台２５とモータ軸線方向Ｌで重なるように位置合わせされる。
【００３２】
本形態では、切り欠き４６１の両端部は半円状の浅い切り込み４６２になっており、切り込み４６２に周方向で隣接する位置には切り欠き４６１の底部より一段浅い段部４６３が形成されている。かかる切り欠き４６１の両端には、図１に示すように、内ステータコア３の外周縁から径方向外側に突出する凸部３６が入り込み、段部４６３は、内ステータコア３の凸部３６にモータ軸線方向Ｌから当接して内ステータコア３の位置決めを行う。
【００３３】
一方、周方向の寸法が小の切り欠き４６８には、図１に示すように、内ステータコア３の外周縁から径方向外側に突出する凸部３５が入り込み、切り欠き４６８の底部が内ステータコア３の凸部３５にモータ軸線方向Ｌから当接して内ステータコア３の位置決めが行われている。なお、切り欠き４６８の両端部は、半円状にさらに深く切り欠かれた切り込み４６９が形成されている。
【００３４】
（コイルボビン２の詳細構成）
図４は、本発明の実施の形態１に係るモータ１のコイルボビン２の説明図であり、図４（ａ）、（ｂ）、（ｃ）、（ｄ）、（ｅ）は、コイルボビン２を第２鍔部の側からみた平面図、底面図、側面図、断面図、および端子台２５を拡大した側面図である。図５は、本発明の実施の形態１に係るモータ１のコイルボビン２にコイル線２０を巻回した状態の説明図であり、図５（ａ）、（ｂ）、（ｃ）、（ｄ）は、コイルボビン２を第２鍔部の側からみた平面図、底面図、断面図、および端子台２５を拡大した側面図である。なお、図４（ａ）および図５（ａ）においては、第２鍔部を部分的に切り欠いて示してある。
【００３５】
図１、図２、図４および図５において、本形態のモータ１において、コイルボビン２は、円筒状の胴部２３と、胴部２３のモータ軸線方向Ｌの一方側端部で拡径する円環状の第１鍔部２１と、胴部２３のモータ軸線方向Ｌの他方側端部で拡径する円環状の第２鍔部２２、および第１鍔部２１の径方向外側で端子９１を保持する端子台２５とを備えている。第１鍔部２１は、端子台２５が形成されている部分を除いて第２鍔部２２と同一の外形寸法を有する円環状であり、モータ軸線方向Ｌで重なっている。第１鍔部２１は、第２鍔部２２より厚さ寸法が大であり、かかる第１鍔部２１の外周縁から径方向外側に突出した部分によって、第１鍔部２１より肉厚の端子台２５が構成されている。端子台２５は、第１鍔部２１より肉厚であるが、第１鍔部２１の第２鍔部２２側に向く内面２１０より内側（第２鍔部２２の側）には突出してはいない。
【００３６】
端子９１は、端子台２５の径方向外側の端面２５６からさらに径方向外側にピン状に突出した樹脂部分からなり、端子台２５と一体に形成されている。このため、端子台２５には、端子９１の根元に相当する部分が肉厚になっており、かかる肉厚部分によって、端子台２５の第２鍔部２２が位置する側とは反対側には、モータ軸線方向Ｌに突出した凸部２５７、２５８が形成されている。
【００３７】
本形態において、端子台２５は、モータ軸線方向Ｌからみたとき矩形形状であり、端子９１は、端子台２５の周方向の両端から内側に寄った位置に形成されている。端子台２５において、端子９１より周方向の外側に位置する部分は、端面２５６から胴部２３に向かって傾斜したテーパ面２５５になっている。このため、端子９１の外側面９１１は、胴部２３の近傍（第１鍔部２１）の近傍まで露出した状態にある。
【００３８】
かかるコイルボビン２の胴部２３の径方向外側には、第１鍔部２１と第２鍔部２２との間にコイル線２０が巻回されており、かかるコイル線２０の両端部は、胴部２３と端子９１との間で端子台２５の胴部２３側の面２５１に沿って引き回されている。このため、コイル線２０は、胴部２３に巻回されたコイル部分２０１と、胴部２３と端子９１との間で端子台２５の胴部２３側の面２５１に沿って引き回された２本の引き回し部分２０２、２０３と、端子９１に絡げられた絡げ部２０４、２０５とを備えている。引き回し部分２０２、２０３は、互いに交差する方向に延在しており、端子台２５の胴部２３側の面２５１にモータ軸線方向Ｌで重なる位置には引き回し部分２０２、２０３の交差部分２０８が存在している。
【００３９】
ここで、端子台２５において、端子９１より周方向の外側に位置する部分は、端面２５６から胴部２３に向かって傾斜したテーパ面２５５になっている分、端子９１の外側面９１１は、胴部２３の近傍（第１鍔部２１）の近傍まで露出した状態にある。このため、引き回し部分２０２、２０３はいずれも、コイル部分２０１（胴部２３）に比較的近い位置から端子９１に絡げられており、交差部分２０８は、コイル部分２０１（胴部２３）に比較的近い位置にある。本形態では、第１鍔部２１および端子台２５のうち、第２鍔部２２にモータ軸線方向Ｌで重なる領域内に交差部分２０８が位置している。
【００４０】
また、図２では、端子台２５の胴部２３側の面２５１において、第２鍔部２２とモータ軸線方向Ｌで重なる領域の外縁を点線Ｄで示してあり、本形態では、端子台２５の胴部２３側の面２５１のうち、第２鍔部２２とモータ軸線方向Ｌで重なる領域の外側領域では、コイル線２０の引き回し部分２０２、２０３とモータ軸線方向Ｌにおいて重なるコイル線引き回し領域２５０の全体が、第１鍔部２１の内面２１０よりモータ軸線方向Ｌにおいて胴部２３とは反対側に位置している。すなわち、端子台２５の胴部２３側の面２５１のうち、第２鍔部２２とモータ軸線方向Ｌで重なる領域の外側領域では、コイル線２０の引き回し部分２０２、２０３とモータ軸線方向Ｌにおいて重なるコイル線引き回し領域２５０の全体が第１鍔部２１の内面２１０より低くなっている。
【００４１】
より具体的には、端子台２５の胴部２３側の面２５１のうち、第２鍔部２２とモータ軸線方向Ｌで重なる領域より外側領域は、コイル線引き回し領域２５０を含む径方向外側領域の全体が第１鍔部２１の内面２１０よりモータ軸線方向Ｌにおいて胴部２３とは反対側に位置する低所領域２５４になっている。本形態において、端子台２５の胴部２３側の面２５１のうち、第１鍔部２１の内面２１０とモータ軸線方向Ｌにおいて同一の位置にある領域と、低所領域２５４とは直線状に延在する段部２５３によって仕切られている。また、低所領域２５４は、第１鍔部２１の内面２１０よりコイル線２０の線径より大の寸法分、低くなっている。
【００４２】
本形態では、低所領域２５４は端子９１まで延在している。このため、端子９１の胴部２３側の面９１４は、モータ軸線方向Ｌで低所領域２５４（コイル線引き回し領域２５０）と同一の位置にある。
【００４３】
また、端子台２５の胴部２３側の面２５１のうち、段部２５３より胴部２３の側（第１鍔部２１の側）は、第１鍔部２１の径方向外側で外ステータコア４の筒部４６とモータ軸線方向Ｌで重なる位置に、コイル線引き回し領域２５０（低所領域２５４）よりモータ軸線方向Ｌにおいて胴部２３側に位置する受け部２７になっている。かかる受け部２７は、第１鍔部２１の内面２１０と連続した平面を構成している。
【００４４】
また、本形態では、第１鍔部２１において、端子台２５に対して受け部２７とは周方向の反対側に径方向外側に突出する凸部２１９が形成されており、かかる凸部２１９によって、第１鍔部２１の径方向外側で外ステータコア４の筒部４６とモータ軸線方向Ｌで重なる位置に、コイル線引き回し領域２５０（低所領域２５４）よりモータ軸線方向Ｌにおいて胴部２３側に位置する受け部２８が形成されている。かかる受け部２８も、受け部２７と同様、第１鍔部２１の内面２１０と連続した平面を構成している。
【００４５】
（本形態の主な効果）
本形態のモータ１を製造するには、まず、コイル線２０をコイルボビン２に巻回した後、外ステータコア４をコイルボビン２の径方向外側に被せる。その際、外ステータコア４は、コイルボビン２の第２鍔部２２の側から被さることになり、外ステータコア４の筒部４６が第１鍔部２１に径方向外側に被さった状態で、外ステータコア４の筒部４６の端部は、端子台２５の胴部２３側の面２５１にモータ軸線方向Ｌで対向する。ここで、コイルボビン２の第１鍔部２１の側では、端子台２５の胴部２３側の面２５１に沿うようにコイル線２０の引き回し部分２０２、２０３が延在している。かかる引き回し部分２０２、２０３のうち、第２鍔部２２とモータ軸線方向Ｌで重なる領域より内側領域に位置する部分は、筒部４６より内側になるため、筒部４６と接することはない。これに対して、引き回し部分２０２、２０３のうち、第２鍔部２２とモータ軸線方向Ｌで重なる領域より外側領域に位置する部分は、筒部４６とモータ軸線方向Ｌで対向することになる。しかるに本形態では、端子台２５の胴部２３側の面２５１のうち、第２鍔部２２とモータ軸線方向Ｌで重なる領域より外側領域は、コイル線引き回し領域２５０を含む径方向外側領域の全体が第１鍔部２１の内面２１０よりモータ軸線方向Ｌにおいて胴部２３とは反対側に位置する低所領域２５４になっている。このため、コイルボビン２に外ステータコア４を被せた際、コイル線２０の引き回し部分２０２、２０３と外ステータコア４とは一切、接触しないか、あるいは接触するとしても強く接触することがない。それ故、コイル線２０の切断を防止することができる。
【００４６】
また、コイルボビン２には、第１鍔部２１の径方向外側で外ステータコア４の筒部４６とモータ軸線方向Ｌで重なる位置に、コイル線引き回し領域２５０よりモータ軸線方向Ｌにおいて胴部２３側に位置する受け部２７、２８が形成されている。また、受け部２７、２８は、端子台２５を周方向で挟む両側に形成されている。このため、コイルボビン２に外ステータコア４を被せる際、外ステータコア４を周方向に回して位置合わせを行った場合でも、外ステータコア４の筒部４６の端部は、受け部２７、２８に接することがあっても、コイル線２０の引き回し部分２０２、２０３とは一切、接触しないか、あるいは接触するとしても強く接触することがない。それ故、コイル線２０の切断を確実に防止することができる。
【００４７】
さらに、引き回し部分２０２、２０３の交差部分２０８は、第２鍔部２２とモータ軸線方向Ｌで重なる領域内に位置するため、交差部分２０８が外ステータコア４の筒部４６とは接触しない。それ故、交差部分２０８でのコイル線２０の切断を確実に防止することができる。
【００４８】
［実施の形態２］
図６は、本発明の実施の形態２に係るモータ１のコイルボビン２を第２鍔部２２の側からみた平面図である。なお、図６においては、第２鍔部２２を部分的に切り欠いた状態で示してある。また、本形態の基本的な構成は、実施の形態１と同様であるため、共通する部分には同一の符号を付してそれらの説明を省略する。
【００４９】
実施の形態１では、コイルボビン２において、端子台２５の胴部２３側の面２５１では、コイル線引き回し領域２５０を含む径方向外側領域の全体が低所領域２５４になっていた。これに対して、本形態では、図６に示すように、端子台２５の胴部２３側の面２５１のうち、第２鍔部２２とモータ軸線方向Ｌで重なる領域の外側領域では、コイル線２０の引き回し部分２０２、２０３とモータ軸線方向Ｌで重なるコイル線引き回し領域２５０が、引き回し部分２０２、２０３に沿って延在する溝状凹部２５９になっている。このため、端子台２５の胴部２３側の面２５１のうち、図６で斜線を付した領域は、第１鍔部２１の内面２１０と連続した平面になっている。また、引き回し部分２０２、２０３の交差部分２０８は、第２鍔部２２とモータ軸線方向Ｌで重なる領域内に位置する。
【００５０】
本形態では、端子台２５の胴部２３側の面２５１のうち、第２鍔部２２とモータ軸線方向Ｌで重なる領域の外側領域では、コイル線２０の引き回し部分２０２、２０３が溝状凹部２５９内に位置する。このため、本形態でも、実施の形態１と同様、コイルボビン２に外ステータコア４を被せた際、コイル線２０の引き回し部分２０２、２０３と外ステータコア４とは一切、接触しないか、あるいは接触するとしても強く接触することがない。それ故、本形態によれば、コイル線２０の切断を確実に防止することができる等、実施の形態１と同様な効果を奏する。
【００５１】
［実施の形態３］
図７は、本発明の実施の形態３に係るモータ１のコイルボビン２の断面図である。なお、本形態の基本的な構成は、実施の形態１と同様であるため、共通する部分には同一の符号を付してそれらの説明を省略する。
【００５２】
図７に示すように、本形態でも、実施の形態１と同様、コイルボビン２では、端子台２５の胴部２３側の面２５１の径方向外側領域の全体が低所領域２５４になっている。かかるコイルボビン２において、実施の形態１では、端子９１が端子台２５と一体の樹脂であったが、本形態では、端子９１は、根元部分が端子台２５に保持された金属製の端子ピンである。このため、端子９１の胴部２３側の面９１４は、モータ軸線方向Ｌにおいて、コイル線引き回し領域２５０より胴部２３とは反対側に位置する。
【００５３】
［他の実施の形態］
上記実施の形態では、外ステータコア４がケース部材として用いられている構成例であったが、外ステータコア４の外側に、外ステータコア４とは別体のケース部材が配置されるモータ１に本発明を適用してもよい。
【符号の説明】
【００５４】
１  モータ
２  コイルボビン
４  外ステータコア（ケース部材）
５  ロータ
２０  コイル線
２１  第１鍔部
２２  第２鍔部
２３  胴部
２５  端子台
２７、２８  受け部
４０  ステータ
４６  外ステータコアの筒部
９１  端子
２０２、２０３  コイル線の引き回し部分
２０８  交差部分
２５０  コイル線引き回し領域
２５１  端子台の胴部側の面
２５４  低所領域
２５９  溝状凹部
９１４  端子の胴部側の面
【図１】
2014090531.tif 000003
【図２】
2014090531.tif 000004
【図３】
2014090531.tif 000005
【図４】
2014090531.tif 000006
【図５】
2014090531.tif 000007
【図６】
2014090531.tif 000008
【図７】
2014090531.tif 000009